(57)【要約】【課題】本体ケースに着脱自在に装着された貯水容器を備えた加湿装置において、更に加湿量が向上することを目的とする。【解決手段】本体ケース１内に加湿部材２とを備え、加湿部材２は、水を貯水する貯水容器１１と、水を保水する加湿フィルター１２と、貯水容器１１内の水を加湿フィルター１２へ供給する水供給部材１３とを備え、水供給部材１３は、加湿フィルター１２へ水を供給する供給部１５と、供給部１５へ貯水容器１１内の水を送るポンプ部１４と、加湿フィルター１２から余剰水を貯水容器１１へ戻すトレイ部１６とを備え、供給部１５は、水を貯水する貯水部分３３と、ポンプ部１４から搬送されてきた水が貯水部分３３へ流入する流入部分３４と、貯水部分３３の水を加湿フィルター１２へ流出する流出部分３５とを備え、流出部分３５には、一定量の水を一旦貯水する堰３６を設けることを特徴とする。【選択図】図３
2018059698.tif 000002
【特許請求の範囲】
【請求項１】
吸込口と吹出口を有する本体ケースと、
前記本体ケース内に設けられた加湿部材と送風部とを備え、
前記加湿部材は、
水を貯水する貯水容器と、
水を保水する加湿フィルターと、
前記貯水容器内の水を前記加湿フィルターへ供給する水供給部材とを備え、
前記水供給部材は、
前記加湿フィルターへ水を供給する供給部と、
前記供給部へ前記貯水容器内の水を送るポンプ部と、
前記加湿フィルターから余剰水を前記貯水容器へ戻すトレイ部とを備え、
前記送風部は前記本体ケース外の空気を前記吸込口から吸い込み前記加湿フィルターを介して前記吹出口から吹き出し、
前記供給部は、
水を貯水する貯水部分と、
前記ポンプから搬送されてきた水が前記貯水部分へ流入する流入部分と、
前記貯水部分の水を前記加湿フィルターへ流出する流出部分とを備え、
前記流出部分には、一定量の水を一旦貯水する堰を設けることを特徴とする加湿装置。
【請求項２】
前記流出部分を複数設けることを特徴とする請求項１に記載の加湿装置。
【請求項３】
前記流出部分を等間隔に設けることを特徴とする請求項２に記載の加湿装置。
【請求項４】
前記流出部分を前記流入部分と対向する位置以外に設けることを特徴とする請求項１〜３のいずれか１項に記載の加湿装置。
【請求項５】
前記流出部分を前記加湿フィルターの上部で、前記加湿フィルター通風方向の上流側に配置することを特徴とする請求項１〜４のいずれか１項に記載の加湿装置。
【請求項６】
前記流出部分には、誘導部分を設けることを特徴とする請求項１〜５のいずれか１項に記載の加湿装置。
【請求項７】
前記誘導部分は、前記堰の上面から上方へ突出した第１のリブを備えたことを特徴とする請求項６記載の加湿装置。
【請求項８】
前記誘導部分は、前記第１のリブから貯水側に伸びた第２のリブを備えたことを特徴とする請求項７に記載の加湿装置。
【請求項９】
前記第２のリブは、下方へ伸び、一部が前記堰内の水中に入り込んだことを特徴とする請求項８記載の加湿装置。
【請求項１０】
前記誘導部分は、前記第１のリブから貯水側とは反対方向に伸びた第３のリブを備えたことを特徴とする請求項７〜９のいずれか１項に記載の加湿装置。
【請求項１１】
前記第３のリブは、前記加湿フィルター方向に伸びたことを特徴とする請求項１０記載の加湿装置。
【請求項１２】
前記第３のリブは、一部が前記加湿フィルターに接触または入り込んだことを特徴とする請求項１１記載の加湿装置。
【請求項１３】
前記貯水部分の底面は、前記堰方向に向かって下り傾斜となっていることを特徴とする請求項１〜１２のいずれか１項に記載の加湿装置。
【請求項１４】
前記加湿フィルターは、鉛直方向より水平方向に水が浸透し易い性質をもち、
前記流出部分は、前記加湿フィルターの左右方向を４分の１に区切った４つの領域のうち、左端と右端の領域には設けず、中央側の２つの領域の範囲内に設けることを特徴とする請求項１〜１３のいずれか１項に記載の加湿装置。
【請求項１５】
前記流出部分は、前記加湿フィルターの左右方向を２分の１に区切った領域のうち、少なくとも左側に１箇所、右側に１箇所設けることを特徴とする請求項１４記載の加湿装置。
【発明の詳細な説明】
【技術分野】
【０００１】
本発明は、本体ケースに着脱自在に装着された貯水容器を備えた加湿装置に関するものである。
【背景技術】
【０００２】
従来の加湿装置においては、水を貯水する貯水容器と、貯水容器の水に下端が浸漬した加湿フィルターとを備えていた。加湿フィルターは、貯水容器の水を吸い上げ、保水した状態となる。この保水した加湿フィルターへ送風部によって室内の空気が送風され、加湿された空気となり、加湿された空気が室内へ送風され、加湿するものである。
【先行技術文献】
【特許文献】
【０００３】
【特許文献１】特開２０１６−２３８２４号公報
【発明の概要】
【発明が解決しようとする課題】
【０００４】
このような従来の加湿装置においては、加湿フィルターが水を吸上げる高さには制限があり、加湿性能を上げるのには限界があった。また、加湿フィルターに上から水を供給することも考えられるが、加湿フィルターに均一に水を供給するのは難しく、加湿フィルターに均一に水を供給できなければ、加湿フィルターの濡れムラができ、加湿性能の低下や、過剰に濡れた部分からの水滴の飛散の不具合を生じる課題を有していた。さらに小さな穴を複数設け、均一に水を供給することも考えられるが、この穴に水道水中のスケール成分が析出し、穴の詰まりによる加湿不良などの不具合を生じる課題を有していた。
【０００５】
そこで本発明は、上記従来の課題を解決するものであり、更に加湿性能の向上、水飛散の抑制、加湿不良の抑制ができる加湿装置を提供することを目的とする。
【課題を解決するための手段】
【０００６】
そして、この目的を達成するために、本発明は、吸込口と吹出口を有する本体ケースと、前記本体ケース内に設けられた加湿部材と送風部とを備え、前記加湿部材は、水を貯水する貯水容器と、水を保水する加湿フィルターと、前記貯水容器内の水を前記加湿フィルターへ供給する水供給部材とを備え、前記水供給部材は、前記加湿フィルターへ水を供給する供給部と、前記供給部へ前記貯水容器内の水を送るポンプ部と、前記加湿フィルターから余剰水を前記貯水容器へ戻すトレイ部とを備え、前記送風部は前記本体ケース外の空気を前記吸込口から吸い込み前記加湿フィルターを介して前記吹出口から吹き出し、前記供給部は、水を貯水する貯水部分と、前記ポンプから搬送されてきた水が前記貯水部分へ流入する流入部分と、前記貯水部分の水を前記加湿フィルターへ流出する流出部分とを備え、前記流出部分には、一定量の水を一旦貯水する堰を設けることを特徴とするものであり、これにより所期の目的を達成するものである。
【発明の効果】
【０００７】
本発明によれば、吸込口と吹出口を有する本体ケースと、前記本体ケース内に設けられた加湿部材と送風部とを備え、前記加湿部材は、水を貯水する貯水容器と、水を保水する加湿フィルターと、前記貯水容器内の水を前記加湿フィルターへ供給する水供給部材とを備え、前記水供給部材は、前記加湿フィルターへ水を供給する供給部と、前記供給部へ前記貯水容器内の水を送るポンプ部と、前記加湿フィルターから余剰水を前記貯水容器へ戻すトレイ部とを備え、前記送風部は前記本体ケース外の空気を前記吸込口から吸い込み前記加湿フィルターを介して前記吹出口から吹き出し、前記供給部は、水を貯水する貯水部分と、前記ポンプから搬送されてきた水が前記貯水部分へ流入する流入部分と、前記貯水部分の水を前記加湿フィルターへ流出する流出部分とを備え、前記流出部分には、一定量の水を一旦貯水する堰を設けるものである。
【０００８】
以上の構成により、貯水部分に一旦水を溜めてから、堰を乗り越えた分の水を加湿フィルターに供給されるので、給水量が安定し、均一に加湿フィルターに水を滴下することができる。このように加湿フィルターの濡れムラを抑制することができるので、加湿フィルター全面で十分な加湿をおこなうことになり、加湿性能が向上すると共に、過剰に濡れた部分を最小限にできるので、水が送風にあおられての水飛散を抑制することができる。また、小さな穴形状などを有しないため、水道水中のスケール成分が堆積することによるつまりなどの心配がなく、水が供給できなることによる加湿不良を抑制することができるという効果を得ることができる。
【図面の簡単な説明】
【０００９】
【図１】本発明の実施の形態１の加湿装置を示す斜視図
【図２】同加湿装置を示す断面図
【図３】同加湿装置の供給部を示す斜視図
【図４】同加湿装置の供給部を示す断面図
【図５】同加湿装置の加湿フィルターを示す図
【図６】同加湿装置の供給部を示す図
【図７】同加湿装置の供給部を示す斜視図
【発明を実施するための形態】
【００１０】
以下、本発明の実施の形態について図面を参照しながら説明する。
【００１１】
（実施の形態１）
図１は、本発明の実施の形態１の加湿装置を示す斜視図である。図２は、本発明の実施の形態１の加湿装置を示す断面図である。図２は、本体ケースにおける右側から見た状態である。
【００１２】
図１、図２に示すように、加湿装置は、本体ケース１と、本体ケース１内に設けられた加湿部材２と、送風部３とを備えている。
【００１３】
本体ケース１は、縦長の箱形状であり、本体ケース１内は、水平に設けられた平板形状の仕切板部４によって、第１の空間部５と第２の空間部６とに仕切られている。第１の空間部５は、第２の空間部６の上方に配置されている。本体ケース１の外周面の前面側には吸込口７を備えられている。本体ケース１の天面の背面側には吹出口８が備えられ、本体ケース１の天面の前面側には四角形状の操作部９が備えられている。吸込口７と吹出口８は、本体ケース１外と第１の空間部５とを連通している。本体ケース１における第１の空間部５内には、吸込口７と吹出口８とを連通する風路１０を有している。
【００１４】
加湿部材２は、貯水容器１１と、加湿フィルター１２と、水供給部材１３とを備えている。
【００１５】
貯水容器１１は、上方が開口した椀形状であり、水を貯水することができる。貯水容器１１は、第２の空間部６内に設けられ、本体ケース１における前面側から着脱可能に装着されている。貯水容器１１を本体ケース１における前面側へ引き出すと、本体ケース１から貯水容器１１が外れる。
【００１６】
加湿フィルター１２は、平板形状であり、多くの繊維を備え、繊維と繊維の間に水を保水することができる。加湿フィルター１２は、第１の空間部５内に、吸込口７と加湿フィルター１２の平面部が対向するように設けられている。貯水容器１１内の水が、水供給部材１３によって加湿フィルター１２の上方から供給される。
【００１７】
水供給部材１３は、ポンプ部１４と、供給部１５と、トレイ部１６とを備えている。ポンプ部１４は、貯水容器１１内の水を供給部１５へ供給し、供給部１５では供給部１５内の水が加湿フィルター１２へ滴下する。加湿フィルター１２で保水されない余剰水は、トレイ部１６を介して貯水容器１１へ戻される。
【００１８】
ポンプ部１４は、貯水容器１１内の水を供給部１５へ供給する。ポンプ部１４は、ポンプ１７と、ポンプモータ１８と、第１の管１９と、第２の管２０と、連結ユニット２１とを備えている。
【００１９】
ポンプ１７は、一例として、ケーシング内で羽根車が回転することにより送水する遠心ポンプである。ポンプ１７は、貯水容器１１内に設けられ、第１の管１９の一方側の端部と接続されている。ポンプ１７は、ポンプモータ１８によって駆動すると、貯水容器１１内の水を吸い上げ、筒形状である第１の管１９へ水を送る。
【００２０】
ポンプモータ１８は、ポンプ１７と対向し、貯水容器１１の外側である第２の空間部６に設けられている。ポンプモータ１８の回転軸（図示せず）には、磁石（図示せず）が固定されている。ポンプ１７内には、磁石がインサート成形された羽根車が回転自在に設けられている。貯水容器１１が本体ケース１に装着された状態で、ポンプモータ１８の磁石の回転軸と、ポンプ１７内の羽根車（図示せず）の回転軸は、同軸上に配置されており、近接することにより、磁力により回転が同期することになる。ポンプモータ１８の磁石が回転することによって、ポンプ１７内の羽根車が回転し、ポンプ１７は貯水容器１１内の水を吸い上げ、第１の管１９へ水を送る。
【００２１】
連結ユニット２１は、第１の連結部２２と第２の連結部２３とを有している。第１の連結部２２と第２の連結部２３とは着脱自在な構成である。
【００２２】
第１の連結部２２は、第１の管１９の他端側の端部に接続されている。貯水容器１１を本体ケース１における前面側へ引き出すと、第１の連結部２２は第２の連結部２３から外れ、貯水容器１１とポンプ１７と第１の管１９と第１の連結部２２とが一体となって本体ケース１から外れる。
【００２３】
第２の連結部２３は、仕切板部４の下面に固定され、第２の管２０の一方側の端部と接続されている。連結ユニット２１である第１の連結部２２と第２の連結部２３は、第１の管１９と第２の管２０とを連通している。ポンプ１７によって、第１の管１９へ送られた水は、連結ユニット２１を介して、筒形状である第２の管２０へ送られる。第２の管２０の他方側の端部は、供給部１５に接続されている。第２の管２０は、仕切板部４における孔である第１の連通部４Ａを介して、第２の空間部６から第１の空間部５へ延びている。なお、第２の管２０の外面は、第１の連通部４Ａである孔に嵌っており、第２の管２０と第１の連通部４Ａとの間には実質的な隙間が無い状態である。
【００２４】
供給部１５は、加湿フィルター１２の上端部の上方に配置され、第２の管２０から送られた水を、加湿フィルター１２へ滴下する。
【００２５】
トレイ部１６は、加湿フィルター１２の下端部の下方に配置され、仕切板部４に固定されている。トレイ部１６は、仕切板部４における孔である第２の連通部４Ｂを介して、第１の空間部５から第２の空間部６へ延びている。加湿フィルター１２で保水されない余剰水は、トレイ部１６を介して貯水容器１１へ戻される。なお、トレイ部１６の外面は、第２の連通部４Ｂである孔に嵌っており、トレイ部１６と第２の連通部４Ｂとの間には実質的な隙間が無い状態である。
【００２６】
供給部１５と加湿フィルター１２とトレイ部１６とによって、第１の空間部５は、第１の前面空間部２４と第１の背面空間部２５の２つの空間に仕切られている。第１の前面空間部２４は、加湿フィルター１２より前面側の空間であり、第１の背面空間部２５は、加湿フィルター１２より背面側の空間である。
【００２７】
送風部３は、第１の背面空間部２５に固定されている。送風部３は、スクロール形状のケーシング２６と、ケーシング２６に固定されたモーター２７と、モーター２７によって回転する羽根２８とを備えている。ケーシング２６は、上面に吐出口２９を、前面側に給気口３０を備えている。ケーシングの給気口３０は、加湿フィルター１２と吸込口７とに対向している。
【００２８】
図３は、本発明の実施の形態１の供給部１５の詳細を示す斜視図である。図４は、図３のＢ−Ｂ断面を示す断面図である。
【００２９】
図３、図４に示すように、加湿フィルター１２は、送風部３による風が流通するように開口された枠Ａ３１および枠Ｂ３２により挟み込まれることにより、自立している。枠Ｂ３２の上端部には、供給部１５が備えられている。
【００３０】
供給部１５は、加湿フィルター１２の上端部で一旦、水を貯水する貯水部分３３と、ポンプ部１４から搬送されてきた水が貯水部分３３へ流入する流入部分３４と、貯水部分３３の水を加湿フィルター１２へ流出する流出部分３５とを備え、流出部分３５には、一定量の水を一旦貯水する堰３６を備えている。本実施例では、流入部分３４は加湿フィルター１２の上部で中央部に１個設け、流出部分３５は加湿フィルター１２の上部で等間隔に複数個設けている。また、貯水部分３３の底面は堰３６の方向に向かって下り傾斜となっている。
【００３１】
流出部分３５には、水の表面張力の作用を抑制し水が堰３６を乗り越えやすくする誘導部分３７を設けている。誘導部分３７は、堰３６の上面から上方へ突出した第１のリブ３８を備えるとともに、第１のリブ３８から貯水側に伸びた第２のリブ３９を備え、さらに、第２のリブ３９は、下方へ伸び、一部が堰３６内の水中に入り込んでいる。また、誘導部分３７は、第１のリブ３８から貯水側とは反対方向に伸びた第３のリブ４０を備え、第３のリブ４０は、加湿フィルター１２方向に伸び一部が加湿フィルター１２に接触または入り込んでいる。
【００３２】
堰３６を水が乗り越える際、表面張力の影響で水面が盛り上がり、表面張力を超えて水が供給された時に、一気に水が堰３６を乗り越えて加湿フィルター１２に供給されることになる。この場合、急激に水が流れたり、複数個ある流出部分３５で、一部の流出部分３５からのみ水が流れるなどの不均一が生じることになる。誘導部分３７は、上記を抑制するために、堰３６の部分で敢えて表面張力が起こる端の部分の形状を複雑に入り組ませ、表面張力の作用を最小限に抑制している。また、誘導部分３７を貯水部分３３の水や、加湿フィルター１２に接触または入り込ませることにより、水が流れ始めると接触した加湿フィルター１２が水の粘性の作用で水を引き寄せるようになり、表面張力の影響を最小限にすることができる。
【００３３】
ポンプ部１４により搬送された水は、流入部分３４から貯水部分３３へ送られ、堰３６により一旦貯水される。そして、給水により堰３６を越えた水が加湿フィルター１２へ供給される。複数の流出部分３５に設けられた堰３６は同じ高さで配置されており、ほぼ同じ量の水がそれぞれの堰３６を越えて加湿フィルター１２へ供給される。このように加湿フィルター１２に均一に水は供給される。
【００３４】
さらに、流出部分３５は加湿フィルター１２の送風方向の上流部に設けられており、加湿フィルター１２の上部で送風方向の上流側に水が供給されることになる。水は加湿フィルター１２内を流下しながらその浸水作用により加湿フィルター１２内で広がりながら給水されていく。送風の作用でさらに広がると共に、加湿フィルター１２の送風方向後端部での水の過剰浸水部分の生成を抑制し風に煽られての水飛びを抑制する作用がある。
【００３５】
以上の構成における加湿動作について説明する。ポンプモータ１８によってポンプ１７が駆動すると、ポンプ１７は貯水容器１１内の水を吸い上げ、第１の管１９、連結ユニット２１、第２の管２０を介して、供給部１５へ水を送る。供給部１５は、第２の管２０から送られた水を、加湿フィルター１２へ滴下する。加湿フィルター１２は、滴下した水の一部を保水する。加湿フィルター１２で保水されない余剰水は、トレイ部１６を介して貯水容器１１へ戻される。この状態で、送風部３のモーター２７によって羽根２８が回転すると、本体ケース１外の空気が、吸込口７から第１の空間部５内へ吸い込まれ、加湿フィルター１２へ送風される。保水した加湿フィルター１２を通過するときに空気が加湿され、この加湿された空気が、送風部３の給気口３０、吐出口２９を介して、吹出口８から本体ケース１外へ送風される。
【００３６】
本実施形態の特徴は、供給部１５の構成である。具体的には、供給部１５に、水を貯水する貯水部分３３と、ポンプ部１４から搬送されてきた水が貯水部分３３へ流入する流入部分３４と、貯水部分３３の水を加湿フィルター１２へ流出する流出部分３５とを備え、流出部分３５には、一定量の水を一旦貯水する堰３６を設けている。このように貯水部分３３に一旦水を溜めてから、堰３６を乗り越えた分の水を加湿フィルター１２に供給されるので、給水量が安定し、均一に加湿フィルター１２に水を滴下することができる。このように加湿フィルター１２の濡れムラを抑制することができるので、加湿フィルター１２全面で十分な加湿をおこなうことになり、加湿性能が向上すると共に、過剰に濡れた部分を最小限にできるので、水が送風にあおられての水飛散を抑制することができる。また、小さな穴形状などを有しないため、水道水中のスケール成分が堆積することによるつまりなどの心配がなく、水が供給できなることによる加湿不良を抑制することができるという効果を得ることができる。
【００３７】
また、流出部分３５を複数設けている。これにより、加湿フィルター１２に対して複数個所から給水できるので、加湿フィルター１２内で水か均一に広がり、濡れムラを抑制することができ、加湿フィルター１２全面で十分な加湿をおこなうことになり、加湿性能が向上するという効果を得ることができる。
【００３８】
また、流出部分３５を等間隔に設けている。これにより、加湿フィルター１２に対して均一に給水できるので、濡れムラを抑制することができ、加湿フィルター１２全面で十分な加湿をおこなうことになり、加湿性能が向上するという効果を得ることができる。
【００３９】
また、流出部分３５を流入部分３４と対向する位置以外に設けている。これにより、流入部分３４から勢い良く水が流入して来た場合でも、その勢いのまま流出部分３５から水が流出されることなく、一旦貯水部分で貯水し、堰３６を乗り越えた分だけ給水することができ、給水量が安定し、均一に加湿フィルター１２に水を滴下することができ、濡れムラを抑制することができるので、加湿フィルター１２全面で十分な加湿をおこなうことになり、加湿性能が向上するという効果を得ることができる。
【００４０】
また、流出部分３５を加湿フィルター１２の上部で、加湿フィルター１２通風方向の上流側に配置している。これにより、水は、加湿フィルター１２の上部で送風方向の上流側に供給されることになり、水は加湿フィルター１２内を流下しながらその浸水作用により加湿フィルター１２内で広がりながら浸水していく。送風の作用でさらに広がり、濡れムラを抑制することができるので、加湿フィルター１２全面で十分な加湿をおこなうことになり、加湿性能が向上するという効果を得ることができる。さらにに、加湿フィルター１２の送風方向後端部での水の過剰浸水部分の生成を抑制し風に煽られての水飛びを抑制する効果を得ることができる。
【００４１】
また、流出部分３５には、水の表面張力の作用を抑制し水が堰３６を乗り越えやすくする誘導部分３７を設けている。これにより、堰３６の部分で敢えて表面張力が起こる端の部分の形状を複雑に入り組ませ、表面張力の作用を最小限に抑制し、水が堰３６をスムーズに乗り越え、給水量が安定し、均一に加湿フィルター１２に水を滴下することができる。このように加湿フィルター１２の濡れムラを抑制することができるので、加湿フィルター１２全面で十分な加湿をおこなうことになり、加湿性能が向上すると共に、過剰に濡れた部分を最小限にできるので、水が送風にあおられての水飛散を抑制することができる。また、小さな穴形状などを有しないため、水道水中のスケール成分が堆積することによるつまりなどの心配がなく、水が供給できなることによる加湿不良を抑制することができるという効果を得ることができる。
【００４２】
また、誘導部分３７は、堰３６の上面から上方へ突出した第１のリブ３８を備えている。これにより、堰３６の部分で敢えて表面張力が起こる端の部分の形状を複雑に入り組ませ、表面張力の作用を最小限に抑制し、水が堰３６をスムーズに乗り越え、給水量が安定し、均一に加湿フィルターに水を滴下するという効果を得ることができる。具体的には、表面張力によって上方向に湾曲形状となる水面形状は、堰３６の近傍の水面形状と、第１のリブ３８の近傍の水面形状とでは形が異なる。特に、第１のリブ３８が堰３６の上面から上方へ突出しているので、堰３６に接している部分と、第１のリブ３８に接している部分では、水面の高さが異なり、堰３６と第１のリブ３８との境目が、複雑に入り組んだ水面形状となる。結果として、表面張力が小さくなり、水が流れ易くなる。
【００４３】
また、誘導部分３７は、第１のリブ３８から貯水側に伸びた第２のリブ３９を備えている。これにより、第２のリブ３９により、堰３６の部分で敢えて表面張力が起こる端の部分の形状を複雑に入り組ませ、表面張力の作用を最小限に抑制し、水が堰３６をスムーズに乗り越え、給水量が安定し、均一に加湿フィルター１２に水を滴下するという効果を得ることができる。
【００４４】
また、第２のリブ３９は、下方へ伸び、一部が堰３６内の水中に入り込んでいる。これにより、貯水部分３３の水が第２のリブ３９に沿うことになり、表面張力の作用を抑制し、水が堰３６をスムーズに乗り越え、給水量が安定し、均一に加湿フィルター１２に水を滴下するという効果を得ることができる。
【００４５】
また、誘導部分３７は、第１のリブ３８から貯水側とは反対方向に伸びた第３のリブ４０を備えている。これにより、堰３６の部分で敢えて表面張力が起こる端の部分の形状を複雑に入り組ませるとともに、水が第３のリブ４０に沿うことになり、表面張力の作用を抑制し、水が堰３６をスムーズに乗り越え、給水量が安定し、均一に加湿フィルター１２に水を滴下するという効果を得ることができる。
【００４６】
また、第３のリブ４０は、加湿フィルター１２方向に伸びている。これにより、さらに堰３６の部分で敢えて表面張力が起こる端の部分の形状を複雑に入り組ませるとともに、水が第３のリブ４０に沿うことになり、表面張力の作用を抑制し、水が堰３６をスムーズに乗り越え、給水量が安定し、均一に加湿フィルター１２に水を滴下するという効果を得ることができる。
【００４７】
また、第３のリブ４０は、一部が加湿フィルター１２に接触または入り込んでいる。これにより、水が流れ始めると接触した加湿フィルター１２が水の粘性の作用で水を引き寄せるようになり、表面張力の影響を最小限にするという効果を得ることができる。
【００４８】
また、貯水部分３３の底面は、堰３６方向に向かって下り傾斜となっている。これにより、運転停止後の貯水部の水の溜まりこみを少なくし、比較的短時間で貯水部の水分が蒸発できるので、貯水部での菌やカビの繁殖を抑制するという効果を得ることができる。
【００４９】
加湿フィルター１２は、図５に示すように、表地５１と裏地５２に開口５３を有するダブルラッセル編地を基材とした加湿フィルター１２である。
【００５０】
この加湿フィルター１２は、吸水性を有する糸５４からなり、開口５３は六角形状となっている。ダブルラッセル編地とは、表地５１と裏地５２、およびこの表地５１と裏地５２とを繋ぐ糸５４で構成されている編地を指す。
【００５１】
図６におけるＸがウェール方向、Ｙがコース方向である。ウェール方向は、コース方向よりも糸同士が接する部分が多く、糸間の毛管現象による吸水量を増すことができ、糸が蛇行せず、直線的に吸水することができるので、コース方向よりも水が浸透し易くなっている。図６では、ウェール方向Ｘは水平方向、コース方向Ｙは鉛直方向となっている。
【００５２】
また、図６および図７に示すように、流出部分３５は、加湿フィルター１２の左右方向を４分の１に区切った領域のうち、左端と右端の部分には設けず、中央側の２つの領域の範囲内に設ける構成としてもよい。
【００５３】
すなわち、流出部分３５より加湿フィルター１２へと水が浸水することになるが、加湿フィルター１２の左右端部では、余剰水が枠Ａ３１、枠Ｂ３２を伝って、そのままトレイ部１６に回収される場合がある。
【００５４】
流出部分３５を中央に集約することによって、枠Ａ３１、枠Ｂ３２を伝ってトレイ部１６に流れる余剰水を少なくできる。そして、供給される水を意図通り加湿フィルター１２に通過させることができる。結果として、加湿性能向上が期待できる。加えて、貯水部分３３を小さくできるため、お手入れが容易になるという効果も期待できる。
【００５５】
さらに詳しく説明すると、流出部分３５は、加湿フィルター１２の左右方向を２分の１に区切った領域のうち、少なくとも左側に１箇所以上、右側に１箇所以上設ける構成にするとよい。このような構成にすることで、左右均衡に浸水させることができ、加湿フィルター１２全体を効率よく使用することができる。結果として、加湿性能向上が期待できる。
【産業上の利用可能性】
【００５６】
本発明にかかる加湿装置は、家庭用や事務所用などに使用される加湿装置等として有用である。
【符号の説明】
【００５７】
１    本体ケース
２    加湿部材
３    送風部
４    仕切板部
４Ａ    第１の連通部
４Ｂ    第２の連通部
５    第１の空間部
６    第２の空間部
７    吸込口
８    吹出口
９    操作部
１０    風路
１１    貯水容器
１２    加湿フィルター
１３    水供給部材
１４    ポンプ部
１５    供給部
１６    トレイ部
１７    ポンプ
１８    ポンプモータ
１９    第１の管
２０    第２の管
２１    連結ユニット
２２    第１の連結部
２３    第２の連結部
２４    第１の前面空間部
２５    第１の背面空間部
２６    ケーシング
２７    モーター
２８    羽根
２９    吐出口
３０    給気口
３１    枠Ａ
３２    枠Ｂ
３３    貯水部分
３４    流入部分
３５    流出部分
３６    堰
３７    誘導部分
３８    第１のリブ
３９    第２のリブ
４０    第３のリブ
５１    表地
５２    裏地
５３    開口
５４    糸
【図１】
2018059698.tif 000003
【図２】
2018059698.tif 000004
【図３】
2018059698.tif 000005
【図４】
2018059698.tif 000006
【図５】
2018059698.tif 000007
【図６】
2018059698.tif 000008
【図７】
2018059698.tif 000009